(57)【要約】【課題】安価としながら、視覚的に分かり易く表示することができ、且つ、大型化を抑制することができる手首血圧計を提供する。【解決手段】手首血圧計は、血圧値を測定するための測定部と、測定部にて測定された血圧値の測定結果を数字で表示可能なセグメント液晶パネル６と、測定者の姿勢を検出するための検出部と、検出部にて検出された姿勢と予め記憶された理想姿勢とを比較してその比較結果に基づく姿勢情報を作成する演算部と、姿勢情報を測定者に伝達するための伝達手段とを備える。そして、セグメント液晶パネル６は、測定部にて測定された血圧値の測定結果をグラフ表示すべく複数のドットが並設されてなるドット表示部６ｃを有し、前記伝達手段はドット表示部を含み、該ドット表示部６ｃは姿勢情報を図形等により表示して伝達する。【選択図】図４
2011139827.tif 000002
【特許請求の範囲】
【請求項１】
血圧値を測定するための測定手段と、
前記測定手段にて測定された血圧値の測定結果を数字で表示可能なセグメント液晶パネルと、
測定者の姿勢を検出するための検出手段と、
前記検出手段にて検出された姿勢と予め記憶された理想姿勢とを比較してその比較結果に基づく姿勢情報を作成する比較手段と、
前記姿勢情報を測定者に伝達するための伝達手段と
を備え、手首に装着される手首血圧計であって、
前記セグメント液晶パネルは、前記測定手段にて測定された血圧値の測定結果をグラフ表示すべく複数のドットが並設されてなるドット表示部を有し、
前記伝達手段は、前記ドット表示部を含み、該ドット表示部は前記姿勢情報を表示して伝達することを特徴とする手首血圧計。
【請求項２】
請求項１に記載の手首血圧計において、
前記ドット表示部は、測定者の姿勢を前記理想姿勢に誘導するための誘導情報を前記姿勢情報の一つとして表示して該誘導情報を伝達することを特徴とする手首血圧計。
【請求項３】
請求項１又は２に記載の手首血圧計において、
前記ドット表示部は、前記姿勢情報を点灯と消灯を繰り返して表示して伝達することを特徴とする手首血圧計。
【請求項４】
請求項１乃至３のいずれか１項に記載の手首血圧計において、
前記伝達手段は、前記姿勢情報を前記ドット表示部以外で伝達するサブ伝達手段を含むことを特徴とする手首血圧計。
【請求項５】
請求項４に記載の手首血圧計において、
前記サブ伝達手段は、ＬＥＤを含むことを特徴とする手首血圧計。
【請求項６】
請求項４又は５に記載の手首血圧計において、
前記サブ伝達手段は、前記姿勢情報を音声により測定者に伝達する音声伝達手段を含むことを特徴とする手首血圧計。
【発明の詳細な説明】
【技術分野】
【０００１】
本発明は、手首に装着して血圧値を測定する手首血圧計に関するものである。
【背景技術】
【０００２】
手首血圧計は、血圧値を測定するための測定手段と、測定手段にて測定された血圧値の測定結果を表示可能な表示部とを備える。そして、このような手首血圧計としては、測定者の姿勢を検出するための検出手段と、該検出手段にて検出された姿勢と予め記憶された理想姿勢とを比較する比較手段と、該比較手段の比較結果に基づいて測定者の姿勢を前記理想姿勢に誘導すべくその旨を例えば図形等で表示部に表示するものがある（例えば、特許文献１参照）。このような手首血圧計では、理想姿勢への誘導を、例えば図形等により測定者に視覚的に分かり易く伝達することができる。尚、理想姿勢（その範囲内）で血圧値を測定することは、血圧値の測定の精度向上に寄与することになる。
【先行技術文献】
【特許文献】
【０００３】
【特許文献１】特開２００７−５４６４８号公報（図１６参照）
【発明の概要】
【発明が解決しようとする課題】
【０００４】
ところで、上記のような手首血圧計においては、表示部をどのように構成するかが問題となり、例えば、比較的安価なセグメント液晶パネルに、単純に上記のような理想姿勢に誘導すべく旨の図形等を表示させるには、その図形専用のセグメントが必要になる。尚、このことはセグメント液晶パネルを大型化させる原因となる。又、表示部全体をドットマトリックスタイプの液晶パネルとすることも考えられるが、その駆動ドライバ（マイコン）等も複雑化してしまい、セグメント液晶パネルを用いた手首血圧計と比べて高価となってしまう。
【０００５】
本発明は、上記課題を解決するためになされたものであって、その目的は、安価としながら、視覚的に分かり易く表示することができ、且つ、大型化を抑制することができる手首血圧計を提供することにある。
【課題を解決するための手段】
【０００６】
上記課題を解決するために、請求項１に記載の発明では、血圧値を測定するための測定手段と、前記測定手段にて測定された血圧値の測定結果を数字で表示可能なセグメント液晶パネルと、測定者の姿勢を検出するための検出手段と、前記検出手段にて検出された姿勢と予め記憶された理想姿勢とを比較してその比較結果に基づく姿勢情報を作成する比較手段と、前記姿勢情報を測定者に伝達するための伝達手段とを備え、手首に装着される手首血圧計であって、前記セグメント液晶パネルは、前記測定手段にて測定された血圧値の測定結果をグラフ表示すべく複数のドットが並設されてなるドット表示部を有し、前記伝達手段は、前記ドット表示部を含み、該ドット表示部は前記姿勢情報を表示して伝達することを要旨とする。
【０００７】
同構成によれば、セグメント液晶パネルは、測定手段にて測定された血圧値の測定結果をグラフ表示すべく複数のドットが並設されてなるドット表示部を有するため、（ドットマトリックスタイプの液晶パネルと比べて）安価としながら、血圧値の測定結果をグラフ表示にて測定者に視覚的に分かり易く伝達することができる。しかも、検出手段にて検出された姿勢と予め記憶された理想姿勢とを比較した比較結果に基づく姿勢情報を測定者に伝達するための伝達手段は、前記ドット表示部を含み、該ドット表示部は前記姿勢情報を表示して伝達するため、前記ドット表示部を利用して前記姿勢情報をも例えば図形等により測定者に視覚的に分かり易く伝達することができる。又、前記血圧値の測定結果（グラフ）と前記姿勢情報とを共通のドット表示部に必要に応じて（そのときどきの状態に応じて）表示することで、それらを視覚的に分かり易く伝達しながらも、セグメント液晶パネルの小型化（省スペース化）を図ることができる。
【０００８】
請求項２に記載の発明では、請求項１に記載の手首血圧計において、前記ドット表示部は、測定者の姿勢を前記理想姿勢に誘導するための誘導情報を前記姿勢情報の一つとして表示して該誘導情報を伝達することを要旨とする。
【０００９】
同構成によれば、ドット表示部は、測定者の姿勢を理想姿勢に誘導するための誘導情報を前記姿勢情報の一つとして表示して伝達するため、測定者の姿勢を直接的に理想姿勢に誘導することができる。言い換えると、例えば、測定者の姿勢が理想姿勢に対してどの位置にあるかといった位置情報を姿勢情報としてドット表示部に表示させるものでは、その位置関係を理解してその位置ずれを解消するように姿勢の変更方向等を考えるといったことが必要となる。これに対して、上記構成では、単にドット表示部に表示された誘導情報に従うだけで、測定者は自身の姿勢を理想姿勢に近づけることができる。
【００１０】
請求項３に記載の発明では、請求項１又は２に記載の手首血圧計において、前記ドット表示部は、前記姿勢情報を点灯と消灯を繰り返して表示して伝達することを要旨とする。
同構成によれば、ドット表示部は、前記姿勢情報を点灯と消灯を繰り返して表示して伝達するため、測定者が注意を払い易くなる。
【００１１】
請求項４に記載の発明では、請求項１乃至３のいずれか１項に記載の手首血圧計において、前記伝達手段は、前記姿勢情報を前記ドット表示部以外で伝達するサブ伝達手段を含むことを要旨とする。
【００１２】
同構成によれば、前記伝達手段は、前記姿勢情報を前記ドット表示部以外で伝達するサブ伝達手段を含むため、前記姿勢情報を測定者に更に分かり易く伝達することができる。
請求項５に記載の発明では、請求項４に記載の手首血圧計において、前記サブ伝達手段は、ＬＥＤを含むことを要旨とする。
【００１３】
同構成によれば、サブ伝達手段は、ＬＥＤを含むため、前記姿勢情報を測定者に更に分かり易く伝達することができる。
請求項６に記載の発明では、請求項４又は５に記載の手首血圧計において、前記サブ伝達手段は、前記姿勢情報を音声により測定者に伝達する音声伝達手段を含むことを要旨とする。
【００１４】
同構成によれば、サブ伝達手段は、前記姿勢情報を音声により測定者に伝達する音声伝達手段を含むため、前記姿勢情報を測定者に更に分かり易く伝達することができる。
【発明の効果】
【００１５】
本発明によれば、安価としながら、視覚的に分かり易く表示することができ、且つ、大型化を抑制することができる手首血圧計を提供することができる。
【図面の簡単な説明】
【００１６】
【図１】本実施形態における手首血圧計を手首に装着した模式図。
【図２】本実施の形態における手首血圧計のブロック図。
【図３】（ａ）本実施の形態における本体の側面図。（ｂ）本実施の形態における本体の正面図。
【図４】本実施の形態における本体の正面図。
【図５】本実施の形態における本体の正面図。
【図６】本実施の形態における本体の正面図。
【図７】本実施の形態における本体の正面図。
【発明を実施するための形態】
【００１７】
以下、本発明を具体化した一実施の形態を図１〜図７に従って説明する。
図１に示すように、本実施の形態の手首血圧計１は、測定者の手首２ａに装着されるカフ帯３と、カフ帯３に取り付けられた本体４とを備える。
【００１８】
本体４は、図２及び図３に示すように、血圧値を測定するための測定手段としての測定部５と、セグメント液晶パネル６と、ＬＥＤ（発光ダイオード）７と、ブザー８と、測定者の姿勢を検出するための検出手段としての検出部９と、メモリ１０と、各種押しボタン式のスイッチ１１と、切り換え式のスイッチ１２と、演算部１３とを備える。
【００１９】
前記測定部５は、カフ帯３内部の空気を制御して加減圧を行う加減圧装置と、血液の流れを検出するためのセンサを含み、それらによって血圧値を測定可能とされている。尚、本実施の形態の測定部５は、血圧値を測定するとともに脈拍数をも測定可能とされている。
【００２０】
前記セグメント液晶パネル６は、図３（ｂ）に示すように、本体４の表面（カフ帯３が取り付けられる側の反対側であって、測定者が見やすい正面）に設けられ、前記測定部５にて測定された血圧値の測定結果を数字で表示可能な７セグメントタイプの血圧値表示部６ａ（図６参照）を有している。尚、本実施の形態のセグメント液晶パネル６は、脈拍数の測定結果を血圧値と同時に表示可能とすべく７セグメントタイプの脈拍数表示部６ｂ（図６参照）を別途有している。
【００２１】
又、セグメント液晶パネル６は、複数のドットが並設されてなるドット表示部６ｃ（図４〜図７参照）を有している。尚、本実施の形態のドット表示部６ｃは、縦に８個で横に８個であって、全部で６４個のドットが縦横に並設されてなる。このドット表示部６ｃは、前記血圧値の測定結果（それらを演算したものを含む）をグラフ表示可能（図６及び図７参照）とされている。又、ドット表示部６ｃは、後述する姿勢情報としての誘導情報を図形等で表示可能（図４及び図５参照）とされている。
【００２２】
前記ＬＥＤ７は、図３（ｂ）に示すように、本体４の表面（カフ帯３が取り付けられる側の反対側であって、測定者が見やすい正面）においてセグメント液晶パネル６の上側に設けられている。
【００２３】
前記ブザー８は、前記スイッチ１１が操作された際や、測定部５の測定する脈拍毎に応じて例えば、「ピッ」といった電子音を発振する。
前記検出部９は、測定者の姿勢を検出可能なものであって、本実施の形態では、加速度（角度）センサを含み、測定者の肘２ｂが置かれている面２１から本体４（手首２ａ）までの高さを測定者の姿勢として検出可能とされている。
【００２４】
前記メモリ１０は、種々のデータを記憶するものであって、その一つとして理想姿勢を記憶するものであり、本実施の形態では、測定者の心臓２ｃの高さに対応した範囲を理想姿勢として記憶する理想姿勢記憶手段を構成している。又、この理想姿勢記憶手段（メモリ１０）は、不特定の測定者に対応した一定の第１の理想姿勢を記憶するための第１記憶部１０ａと、特定の測定者に対応した第２の理想姿勢を記憶するための第２記憶部１０ｂとを有する。尚、本実施の形態の第２記憶部１０ｂは、特定の測定者として２人分の第２の理想姿勢を記憶可能とされている。そして、第２記憶部１０ｂは、前記切り換え式のスイッチ１２（図３（ａ）参照）が左側に切り換えられると１人目「１」の特定の測定者に対応した書き込み（記憶）及び読み出しが可能とされ、右側に切り換えられると２人目「２」の特定の測定者に対応した書き込み及び読み出しが可能とされる。
【００２５】
又、前記メモリ１０は、前記検出部９にて検出された姿勢に基づいた後述する記憶姿勢情報を、前記測定部５にて測定された血圧値の測定結果と関連づけて記憶する結果記憶手段をも構成している。
【００２６】
又、前記演算部１３は、ＭＰＵ（マイクロプロセッサ）やセグメント液晶パネル６の駆動ドライバ等を含み、各種の演算及び処理を行う。
次に、本実施の形態の手首血圧計１の各種使用方法や動作について説明する。
【００２７】
まず、例えば、手首血圧計１の持ち主等の特定の測定者が使用する場合については、その特定の測定者に対応した理想姿勢（前記第２の理想姿勢）を記憶させることができ、その際の動作について説明する。
【００２８】
この場合、図１に示すように、測定者が手首２ａ（本体４）の位置を心臓２ｃの高さに一致させた状態で、操作手段としての（図３（ｂ）中、「姿勢」の）スイッチ１１を操作する（例えば２秒間押し続ける）と、設定手段を構成する演算部１３は、検出部９にて検出された姿勢に基づいた値を第２の理想姿勢として第２記憶部１０ｂに記憶させる。尚、本実施の形態で記憶される第２の理想姿勢は、検出部９にて検出された姿勢である手首２ａ（本体４）の位置を中心として上下に僅かに許容した範囲であって、その第２の理想姿勢が許容する姿勢の範囲は、前記第１の理想姿勢が許容する姿勢の範囲より狭く設定される。逆に、一定である第１の理想姿勢が許容する姿勢の範囲は、不特定の測定者に対応させるために広めに設定されている。又、本実施の形態では、第２の理想姿勢が記憶されると、前記演算部１３は前記セグメント液晶パネル６に、図３（ｂ）に示すように、「記憶」の文字を表示させる。又、図３（ｂ）では、前記切り換え式のスイッチ１２（図３（ａ）参照）が左側に切り換えられ、１人目「１」の特定の測定者に対応した第２の理想姿勢が書き込まれた（記憶された）状態を図示している。
【００２９】
次に、例えば、測定者が血圧値を測定する際の動作について説明する。
この場合、測定者がスイッチ１１（図３（ｂ）中、「開始→終了」のスイッチ）を操作する（押す）と、比較手段を構成する演算部１３は、検出部９にて検出された姿勢を予め記憶された理想姿勢（第１又は第２の理想姿勢）を比較してその比較結果に基づく姿勢情報を作成する。尚、本実施の形態の姿勢情報は、検出部９にて検出された姿勢が理想姿勢と異なるか否の判定結果と、その判定結果が異なる場合に手首２ａ（本体４）の位置を上下どちらの方向に移動させれば理想姿勢に近づくかといった測定者の姿勢を理想姿勢に誘導するための誘導情報とを含む。又、このとき比較される理想姿勢は、切り換え式のスイッチ１２（図３（ａ）参照）の操作によって、前記第１の理想姿勢（不特定の測定者（ゲスト）に対応したもの）、又は前記第２の理想姿勢（その中でも切り換え式のスイッチ１２が左側に切り換えられれば１人目「１」、右側に切り換えられれば２人目「２」に対応したもの）が切り換えられる。
【００３０】
そして、演算部１３は、伝達手段によって前記姿勢情報を測定者に伝達する。この伝達手段は、前記セグメント液晶パネル６における前記ドット表示部６ｃを含み、該ドット表示部６ｃは前記姿勢情報を表示して伝達する。詳しくは、本実施の形態のドット表示部６ｃは、例えば、前記検出部９にて検出された姿勢が理想姿勢と異なる（理想姿勢が許容する姿勢の範囲内にない）場合であって手首２ａ（本体４）の位置を下方に移動させれば理想姿勢に近づく場合には、その誘導情報を、図４に示すように、下向きの矢印（図形）で表示して伝達する。又、逆に、本実施の形態のドット表示部６ｃは、例えば、手首２ａ（本体４）の位置を上方に移動させれば理想姿勢に近づく場合には、その誘導情報を、上向きの矢印（図形）で表示して伝達する（図示略）。又、本実施の形態のドット表示部６ｃは、例えば、前記検出部９にて検出された姿勢が理想姿勢と一致する（理想姿勢が許容する姿勢の範囲内にある）場合には、図５に示すように、「ＯＫ」の文字で表示して伝達する。又、本実施の形態のドット表示部６ｃは、前記姿勢情報（誘導情報）を点灯と消灯を繰り返して表示して伝達する。尚、この点灯と消灯を繰り返すことは、前記矢印（図形）等を単に点滅させる場合と、点灯するドットを例えば上下方向に移動させてアニメーションとして表示させる場合とを含む。
【００３１】
又、本実施の形態における前記伝達手段は、前記姿勢情報を前記ドット表示部６ｃ以外で伝達するサブ伝達手段としての前記ＬＥＤ７を含む。本実施の形態のＬＥＤ７は、例えば、前記検出部９にて検出された姿勢が理想姿勢と一致する（理想姿勢が許容する姿勢の範囲内にある）場合には、点灯することで前記姿勢情報を伝達する。又、本実施の形態のＬＥＤ７は、例えば、検出部９にて検出された姿勢が理想姿勢と異なる（理想姿勢が許容する姿勢の範囲内にない）場合には、点滅することで前記姿勢情報を伝達する。
【００３２】
そして、演算部１３は、前記検出部９にて検出された姿勢が理想姿勢と一致する（理想姿勢が許容する姿勢の範囲内にある）と、血圧値の測定を開始する。
又、演算部１３は、前記検出部９にて検出された姿勢が理想姿勢と異なる場合は、その場合の処理（前記誘導情報の伝達等）を繰り返し、予め設定された時間（例えば７秒間）が経過しても一致しない場合は、一致しないまま血圧値の測定を開始する。
【００３３】
そして、測定部５によって、血圧値及び脈拍数が測定されると、演算部１３は、図６に示すように、測定された血圧値及び脈拍数の測定結果をセグメント液晶パネル６における前記血圧値表示部６ａ及び脈拍数表示部６ｂに表示させる。又、この際、本実施の形態の演算部１３は、図６に示すように、前記測定部５にて測定された血圧値の測定結果をセグメント液晶パネル６におけるドット表示部６ｃにグラフ表示させる。
【００３４】
又、演算部１３は、測定された血圧値及び脈拍数の測定結果を測定した日時と共に前記メモリ１０に記憶させる。又、このとき、本実施の形態の演算部１３は、検出部９にて検出された姿勢に基づいた記憶姿勢情報を、前記測定部５にて測定された血圧値の測定結果と関連づけて結果記憶手段を構成するメモリ１０に記憶させる。尚、本実施の形態で記憶させる前記記憶姿勢情報は、前記測定部５による測定の開始時（その直前）のみの姿勢に基づいたものであって、測定部５による測定の開始時に検出部９にて検出された姿勢が理想姿勢と異なるか否の判定結果（前記姿勢情報の一部）とされている。
【００３５】
上記のようにして測定された血圧値の測定結果は、例えば、後日であっても、種々のパターンで表示可能とされている。
例えば、前記スイッチ１１で選択することで過去に測定した１つの血圧値の測定結果を表示させることが可能とされている。又、このとき、本実施の形態の手首血圧計１では、前記血圧値の測定結果と前記記憶姿勢情報（検出部９にて検出された姿勢が理想姿勢と異なるか否の判定結果）とをセグメント液晶パネル６とＬＥＤ７によって同時に表示する。尚、本実施の形態では、セグメント液晶パネル６とＬＥＤ７とが同時表示手段を構成している。即ち、演算部１３は、血圧値の測定結果を前記セグメント液晶パネル６における血圧値表示部６ａに表示させる際であって、測定の開始時に検出部９にて検出された姿勢が理想姿勢と一致していた場合では、ＬＥＤ７を点灯させることでその旨（前記記憶姿勢情報）を同時に伝達する。又、演算部１３は、血圧値の測定結果を前記セグメント液晶パネル６における血圧値表示部６ａに表示させる際であって、測定の開始時に検出部９にて検出された姿勢が理想姿勢と異なっていた場合では、ＬＥＤ７を点滅させることでその旨（前記記憶姿勢情報）を同時に伝達する。
【００３６】
又、例えば、前記スイッチ１１で選択することで過去に測定した複数の血圧値の測定結果を演算手段としての演算部１３にて演算してその演算結果を表示させることが可能とされている。このとき、本実施の形態の演算部１３は、前記記憶姿勢情報に基づいて前記血圧値の測定結果を演算する。具体的には、演算部１３が血圧値の測定結果の平均値を演算する際には、前記検出部９にて検出された姿勢が前記理想姿勢と異なっていたときの血圧値の測定結果を除いて前記平均値を演算する。又、演算部１３は、複数種類の血圧値の測定結果の平均値を演算可能とされており、この際、平均値同時表示手段を構成する前記ドット表示部６ｃに前記複数種類の血圧値の測定結果の平均値を同時に表示させる。例えば、図７に示すように、演算部１３は、８週間分（約２ヵ月分）であって１週間毎の血圧値の測定結果（理想姿勢と異なっていたときの値を除く）の平均値を演算し、該演算結果をドット表示部６ｃに左側から右に向かって１週間分ずつ同時にグラフ表示させる。尚、その他、複数種類の前記平均値としては、例えば、午前中のみといった時間帯毎の平均値等がある。
【００３７】
次に、上記実施の形態の特徴的な作用効果を以下に記載する。
（１）セグメント液晶パネル６は、測定部５にて測定された血圧値の測定結果をグラフ表示すべく複数のドットが並設されてなるドット表示部６ｃを有するため、（ドットマトリックスタイプの液晶パネルと比べて）安価としながら、血圧値の測定結果をグラフ表示にて測定者に視覚的に分かり易く伝達することができる。しかも、検出部９にて検出された姿勢と予め記憶された理想姿勢とを比較した比較結果に基づく姿勢情報を測定者に伝達するための伝達手段は、前記ドット表示部６ｃを含み、該ドット表示部６ｃは前記姿勢情報を表示して伝達する。よって、前記ドット表示部６ｃを利用して前記姿勢情報をも例えば図形等により測定者に視覚的に分かり易く伝達することができる。又、前記血圧値の測定結果（グラフ）と前記姿勢情報とを共通のドット表示部６ｃに必要に応じて（そのときどきの状態に応じて）表示することで、それらを視覚的に分かり易く伝達しながらも、セグメント液晶パネル６の小型化（省スペース化）を図ることができる。
【００３８】
（２）ドット表示部６ｃは、測定者の姿勢を理想姿勢に誘導するための誘導情報を前記姿勢情報の一つとして表示して伝達するため、測定者の姿勢を直接的に理想姿勢に誘導することができる。言い換えると、例えば、測定者の姿勢が理想姿勢に対してどの位置にあるかといった位置情報を姿勢情報としてドット表示部６ｃに表示させるものでは、その位置関係を理解してその位置ずれを解消するように姿勢の変更方向等を考えるといったことが必要となる。これに対して、上記構成では、単にドット表示部６ｃに表示された誘導情報に従うだけで、測定者は自身の姿勢を理想姿勢に近づけることができる。
【００３９】
（３）ドット表示部６ｃは、前記姿勢情報を点灯と消灯を繰り返して表示して伝達するため、測定者が注意を払い易くなる。
（４）前記伝達手段は、前記姿勢情報を前記ドット表示部以外で伝達するサブ伝達手段としてのＬＥＤ７を含むため、前記姿勢情報を測定者に更に分かり易く伝達することができる。
【００４０】
上記実施の形態は、以下のように変更してもよい。
・上記実施の形態では、ドット表示部６ｃは、測定者の姿勢を理想姿勢に誘導するための誘導情報を前記姿勢情報の一つとして表示して伝達するとしたが、検出部９にて検出された姿勢と予め記憶された理想姿勢とを比較した比較結果に基づくものであれば誘導情報以外の姿勢情報を表示するようにしてもよい。例えば、測定者の姿勢が理想姿勢に対してどの位置にあるかといった位置情報を姿勢情報としてドット表示部６ｃに表示させるように、具体的には例えば理想姿勢の位置（高さ）を上下方向の中心とし、それに対して測定者の手首２ａの位置が上側にあるなら上側に手首２ａの位置があることを示す表示を行うようにしてもよい。尚、この場合では、測定者は、その位置関係を理解してその位置ずれを解消するように姿勢（手首２ａ）の変更（移動）方向等を考えて理想姿勢に近づけるといったことが必要となる。
【００４１】
又、上記実施の形態では、ドット表示部６ｃは、検出部９にて検出された姿勢が理想姿勢と異なる場合、前記誘導情報を矢印（図形）で表示して伝達するとしたが、これに限定されず、例えば文字（ドット表示部６ｃで表示可能な程度に簡単な文字であって、例えば「上」や「下」等）で表示して伝達するようにしてもよい。又、上記実施の形態のドット表示部６ｃは、検出部９にて検出された姿勢が理想姿勢と一致する場合、「ＯＫ」の文字で表示して伝達するとしたが、これに限定されず、例えば図形を表示して（例えば、上下方向の中央に、もう動かさなくてよい旨を示す横方向に延びるバーのみを表示して）伝達するようにしてもよい。
【００４２】
・上記実施の形態では、ドット表示部６ｃは、前記姿勢情報を点灯と消灯を繰り返して表示して伝達するとしたが、これに限定されず、単に点灯のみで表示して伝達するようにしてもよい。
【００４３】
・上記実施の形態では、前記伝達手段は、前記姿勢情報を前記ドット表示部６ｃ以外で伝達するサブ伝達手段としてのＬＥＤ７を含むとしたが、これに限定されず、サブ伝達手段を有していなくてもよいし、他のサブ伝達手段に変更してもよいし、更に他のサブ伝達手段を追加してもよい。尚、サブ伝達手段としては、例えば、前記姿勢情報を音声（例えば、「手首を上げて下さい」といった言葉）により測定者に伝達する音声伝達手段等が考えられる。このようにしても、前記姿勢情報を測定者に更に分かり易く伝達することができる。
【００４４】
・上記実施の形態では、検出部９にて検出された姿勢に基づいた記憶姿勢情報を、測定部５にて測定された血圧値の測定結果と関連づけて記憶するメモリ１０（結果記憶手段）を備えるとしたが、これに限定されず、前記記憶姿勢情報を記憶しないようにしてもよい。
【００４５】
・上記実施の形態では、メモリ１０（理想姿勢記憶手段）は、不特定の測定者に対応した一定の第１の理想姿勢を記憶するための第１記憶部１０ａと、特定の測定者に対応した第２の理想姿勢を記憶するための第２記憶部１０ｂとを有するとしたが、これに限定されず、例えば、第２記憶部１０ｂを有していないものとしてもよい。又、上記実施の形態では、スイッチ１１（操作手段）が操作されると、検出部９にて検出された姿勢に基づいた値が第２の理想姿勢として第２記憶部１０ｂに記憶されるとしたが、これに限定されず、第２の理想姿勢を手入力するようにしてもよい。
【００４６】
・上記実施の形態では、測定者の肘２ｂが置かれている面２１から本体４（手首２ａ）までの高さを測定者の姿勢として各処理を行うようにしたが、その他の姿勢（又はその他の姿勢を追加したもの）を測定者の姿勢として各処理を行うようにしてもよい。尚、勿論、この場合、前記メモリ１０に記憶する理想姿勢のデータもその他の姿勢に応じて変更する必要があるとともに、検出部９を、その他の姿勢を検出可能なものとする必要がある。
【符号の説明】
【００４７】
２ａ…手首、５…測定部（測定手段）、６…セグメント液晶パネル、６ｃ…ドット表示部（伝達手段）、７…ＬＥＤ（伝達手段及びサブ伝達手段）、９…検出部（検出手段）、１３…演算部（比較手段）。
【図１】
2011139827.tif 000003
【図２】
2011139827.tif 000004
【図３】
2011139827.tif 000005
【図４】
2011139827.tif 000006
【図５】
2011139827.tif 000007
【図６】
2011139827.tif 000008
【図７】
2011139827.tif 000009